(57)【特許請求の範囲】
【請求項１】
液晶パネルの背面側をバックライト光源より出射される光で照光するバックライト装置において、
前記バックライト光源を長手方向に沿って複数配置した光源列を幅方向に複数備える可撓性のフィルム基板と、
前記フィルム基板上に配置され、各バックライト光源を直列に接続する第一配線部と、前記第一配線部の一端を他端まで引き回す第二配線部と、を有し、前記バックライト光源単位で同一配線パターンの繰り返しによって構成されているバックライト部と、
前記バックライト光源を駆動させる駆動回路部と、
を備え、
前記フィルム基板は、光源列間を折曲させた状態で配置されていることを特徴とするバックライト装置。
【請求項２】
請求項１に記載のバックライト装置において、
前記フィルム基板は、
前記バックライト光源を任意の個数で分離するための切断部を設け、
前記切断部で切断されると、前記第一配線部及び前記第二配線部が機能を維持した状態で分断されるように構成されており、
分断された状態で、前記第一配線部と前記第二配線部とが結線され、前記フィルム基板の同一辺上に、前記第一配線のアノード端子に接続されるアノード端子と、前記第二配線のカソード端子に接続されるカソード端子と、を備え、
前記第一配線部と前記第二配線部は隣接して並行に配置されていることを特徴とするバックライト装置。
【請求項３】
請求項１又は２に記載のバックライト装置において、
前記フィルム基板は、
隣り合うバックライト光源列のうち、一方のバックライト光源の長手方向位置が他方のバックライト光源の長手方向位置と相違するように、各々の光源列が前記フィルム基板に配置されており、
前記フィルム基板の短手方向両端に、貫通孔としてのスプロケットホールが長手方向に沿って所定間隔で設けられていることを特徴とするバックライト装置。
【請求項４】
表示パネルと、
バックライト光源を長手方向に沿って複数配置した光源列を幅方向に複数備える可撓性のフィルム基板と、
前記フィルム基板上に配置され、各バックライト光源を直列に接続する第一配線部と、前記第一配線部の一端を他端まで引き回す第二配線部と、を有し、前記バックライト光源単位で同一配線パターンの繰り返しによって構成されているバックライト部と、
前記バックライト光源を駆動させる駆動回路部と、
を備え、
前記フィルム基板は、光源列間を折曲させた状態で配置されていることを特徴とする表示装置。
【発明の詳細な説明】
【技術分野】
【０００１】
本発明は、液晶パネルを照光するバックライト装置及び表示装置に関する。
【背景技術】
【０００２】
従来、複数のバックライト光源（ＬＥＤチップ）を基板上に実装して形成されるバックライト装置において、各々のＬＥＤチップは通常ＬＥＤパッケージに内封された状態で提供される。そして、実装に際して、当該ＬＥＤパッケージよりＬＥＤチップを取り出した上で、平板状の基板に各々を配置して搭載する必要がある。従って、実装に時間を要するという問題があった。また、平板状の基板は、ある程度の厚みを必要とするため、この厚みに起因するＬＥＤチップから生ずる熱の筐体外部への放熱に難点があった。
【０００３】
そこで、例えば、所定の延在方向に沿って延在するフレキシブルプリント配線基板の一面に、その延在方向に沿って複数のバックライト光源（フリップチップＬＥＤ素子）が配列実装され、フリップチップＬＥＤ素子の繰り返し単位ごとに上記フレキシブルプリント配線基板を切断可能な光源装置が知られている（例えば、特許文献１参照）。
【先行技術文献】
【特許文献】
【０００４】
【特許文献１】特開２００５−３０２７１２号公報
【０００５】
この特許文献１に記載の発明によると、フレキシブルプリント配線基板の一面にフリップチップＬＥＤ素子が配列実装されたのみの構成となるため、ベアチップＬＥＤ素子をモールド樹脂や透光性封止樹脂により覆われた状態で配列実装するような構成と比較して、モールド樹脂や透光性封止樹脂を含まない分だけバックライト光源の実装箇所を薄型化できる。
【発明の概要】
【発明が解決しようとする課題】
【０００６】
しかしながら、上記特許文献１に記載の光源装置を液晶表示装置のバックライト装置等として使用する場合、液晶パネルの表示領域に応じてフレキシブルプリント配線基板を一列ずつ配置しなければならず、煩雑である。また、上記フリップチップＬＥＤ素子の照光方向は、液晶パネルの背面と直交する方向のみであるため、液晶パネルを効率的に照光出来ているとはいえない。
【０００７】
本発明の課題は、実装がより容易で、かつ効率的に液晶パネルを照光できるバックライト装置及び表示装置を提供することである。
【課題を解決するための手段】
【０００８】
上記課題を解決するため、請求項１に記載の発明は、液晶パネルの背面側をバックライト光源より出射される光で照光するバックライト装置において、前記バックライト光源を長手方向に沿って複数配置した光源列を幅方向に複数備える可撓性のフィルム基板と、前記フィルム基板上に配置され、各バックライト光源を直列に接続する第一配線部と、前記第一配線部の一端を他端まで引き回す第二配線部と、を有し、前記バックライト光源単位で同一配線パターンの繰り返しによって構成されているバックライト部と、前記バックライト光源を駆動させる駆動回路部と、を備え、前記フィルム基板は、光源列間を折曲させた状態で配置されていることを特徴とする。
【０００９】
請求項２に記載の発明は、請求項１に記載のバックライト装置において、前記フィルム基板は、前記バックライト光源を任意の個数で分離するための切断部を設け、前記切断部で切断されると、前記第一配線部及び前記第二配線部が機能を維持した状態で分断されるように構成されており、分断された状態で、前記第一配線部と前記第二配線部とが結線され、前記フィルム基板の同一辺上に、前記第一配線のアノード端子に接続されるアノード端子と、前記第二配線のカソード端子に接続されるカソード端子と、を備え、前記第一配線部と前記第二配線部は隣接して並行に配置されていることを特徴とする。
【００１０】
請求項３に記載の発明は、請求項１又は２に記載のバックライト装置において、前記フィルム基板は、隣り合うバックライト光源列のうち、一方のバックライト光源の長手方向位置が他方のバックライト光源の長手方向位置と相違するように、各々の光源列が前記フィルム基板に配置されており、前記フィルム基板の短手方向両端に、貫通孔としてのスプロケットホールが長手方向に沿って所定間隔で設けられていることを特徴とする。
【００１１】
請求項４に記載の発明は、表示装置において、表示パネルと、バックライト光源を長手方向に沿って複数配置した光源列を幅方向に複数備える可撓性のフィルム基板と、前記フィルム基板上に配置され、各バックライト光源を直列に接続する第一配線部と、前記第一配線部の一端を他端まで引き回す第二配線部と、を有し、前記バックライト光源単位で同一配線パターンの繰り返しによって構成されているバックライト部と、前記バックライト光源を駆動させる駆動回路部と、を備え、前記フィルム基板は、光源列間を折曲させた状態で配置されていることを特徴とする。
【発明の効果】
【００１３】
本発明によれば、フィルム基板にバックライト光源を複数配置した光源列が幅方向に複数備えられ、当該フィルム基板がフィルム配置部に所定間隔で並べて配置される。つまり、液晶パネルの表示領域に応じて一度に複数の光源列を配置することができるので、実装の手間が軽減される。さらに、各々のフィルム基板は折曲支持部により光源列間が折曲された状態で支持され、フィルム基板に配置される各々のバックライト光源からの光は、液晶パネルの背面と直交する方向から所定角傾斜した向きへ出射される。つまり、液晶パネルの背面と直交する方向へ出射される場合と比較して、傾斜した向きへ出射された光は、液晶パネルの背面に到達する際に当該背面内でより広範に分散させることができる。
したがって、本発明は、実装がより容易で、かつ効率的に液晶パネルを照光できるバックライト装置及び表示装置であるといえる。
【図面の簡単な説明】
【００１４】
【図１】本発明に係る液晶表示装置の要部構成を例示するブロック図である。
【図２】本発明に係るバックライト装置を模式的に説明する図であり、（Ａ）は側面図を、（Ｂ）は上面図を、それぞれ示す。
【図３】本発明に係るフィルム基板を切断線に沿って切断した状態を説明する図であり、（Ａ）は上面図を、（Ｂ）はフィルム基板内部の回路配置構成の模式図を、それぞれ示す。
【図４】本発明に係るフィルム群体を模式的に説明する図である。
【図５】本発明に係る駆動回路部を模式的に説明する図である。
【図６】本発明に係る別のバックライト装置を模式的に説明する図であり、（Ａ）は側面図を、（Ｂ）は上面図を、それぞれ示す。
【発明を実施するための形態】
【００１５】
以下、本発明の実施の形態について図面を参照しながら説明する。なお、発明の範囲は図示例に限定されない。また、以下の説明では、図２に示すバックライト装置の左右方向をＸ方向、前後方向をＹ方向、ＸＹ方向に直交する方向をＺ方向とする。
【００１６】
本実施形態の液晶表示装置１００は、例えば、図１に示すように、外部からの映像信号を受信する信号入力部１と、映像信号に所定の映像処理を施す映像処理部２と、タイミング信号を生成するタイミング制御部３と、映像信号をフレーム単位で蓄積するフレームメモリ４と、映像信号に基づく各画素への書き込み動作を行う液晶パネル５と、液晶パネル５に設けられる走査線を駆動する走査線駆動部６と、液晶パネル５に設けられる信号線を駆動する信号線駆動部７と、液晶パネル５を背面側から照光するバックライト装置８と、液晶表示装置１００の各構成を統括制御する制御部１２と、等を備える。
【００１７】
信号入力部１は、例えば、テレビジョン放送信号を受信するアンテナ及びチューナや、外部装置からの映像信号を受信する各種映像端子等を備えて構成され、入力される映像信号を受信して、映像処理部２に出力する。
【００１８】
映像処理部２は、例えば、Ａ／Ｄ変換回路、ＲＧＢ生成回路、画質調整回路等を備えて構成され、信号入力部１から供給される映像信号に基づいて、ＲＧＢのデジタル映像信号を生成し、液晶パネル５の画素数に応じたスケーリング処理を行って、１フレーム分の映像信号を生成する。さらに、１フレーム分の映像信号に対して、制御部１２から出力される画質調整信号に基づいて、ブライトネス、コントラスト、色の濃さ、色合い、シャープネス等の各種画質調整を行った後に、フレームメモリ４に出力する。
【００１９】
タイミング制御部３は、例えば、信号入力部１から供給される映像信号に基づいて、１ライン期間を示すタイミング信号と、１フレーム期間を示すタイミング信号とを生成して、液晶表示装置１００の各部に供給する。
【００２０】
フレームメモリ４は、例えば、映像処理部２から入力される映像信号をフレーム単位で蓄積し、その映像信号を液晶ディスプレイ（図示省略）に出力する。
【００２１】
液晶パネル５は、例えば、所定の間隔を隔てて配設された一対の基板の間に、マトリクス状に配置された液晶が封入されて成る。これら一対の基板は、偏光軸が直交した２枚の偏光板で挟まれ、背面側にはバックライト装置８が配設されている。また、液晶パネル５は、その表示領域が予め定められた分割方法で、例えば、マトリクス状に等分割された複数のサブ表示領域で構成されている。
基板の上面には、ｐ行の走査線Ｘ（Ｘ１〜Ｘｐ）及びｑ列の信号線Ｙ（Ｙ１〜Ｙｑ）が互いに直交するように配列されている。この液晶パネル５は、例えば、アクティブマトリクス駆動方式を採用しており、走査線Ｘと信号線Ｙの各交点の画素に、アクティブ素子としての薄膜トランジスタ（ＴＦＴ：Ｔｈｉｎ  Ｆｉｌｍ  Ｔｒａｎｓｉｓｔｏｒ）が配設されている。各画素には画素電極が形成され、画素電極に対向して、対向する基板に対向電極が形成されている。また、画素電極と対向電極との対向面にはそれぞれ配向膜が形成されている。つまり、液晶パネル５は、タイミング制御部３により生成されるタイミング信号に従って、上記ＴＦＴがオン／オフされ、画素電極に電荷が蓄積されて液晶の配列方向が変化することで駆動し、信号入力部１から入力される映像信号の書き込み動作を行う。
【００２２】
走査線駆動部６は、例えば、液晶パネル５における走査線Ｘ（Ｘ１〜Ｘｐ）の各々に対応して設けられており、タイミング制御部３からのタイミング信号に従って、各走査線Ｘを順に選択して、同一の走査線Ｘ上に連なるＴＦＴをオン／オフさせる。
【００２３】
信号線駆動部７は、例えば、液晶パネル５における信号線Ｙ（Ｙ１〜Ｙｑ）の各々に対応して設けられており、走査線駆動部６による各走査線Ｘの走査に同期して、フレームメモリ４から出力される映像信号や黒画像に応じた電圧を信号線Ｙに対して印加する。
したがって、走査線駆動部６及び信号線駆動部７により走査線Ｘと信号線Ｙとが駆動されると、それらの交点にある画素のＴＦＴがオンとなって画素電極に電荷が蓄積され、その画素電極と対向電極との間に挟持されている液晶の配列方向が変化して、配向膜と偏光板とともに、液晶パネル５の背面側に設けられたバックライト装置８から照射される光を画素単位で通過或いは遮断させる。
【００２４】
バックライト装置８は、例えば、図２〜図５に示すように、液晶パネル５の背面側に配置されるフィルム支持部８１（フィルム配置部）と、フィルム支持部８１の内部でＹ軸方向に沿って複数列に亘って配置されるフィルム基板８３と、フィルム基板８３上に搭載されたバックライト光源としての複数のＬＥＤチップ８８（Ｌｉｇｈｔ−Ｅｍｉｔｔｉｎｇ Ｄｉｏｄｅ）と、ＬＥＤチップ８８を駆動させる駆動回路部８９と、を含んで構成され、ＬＥＤチップ８８より出射する光で液晶パネル５の背面側を均等に照光し、液晶パネル５のバックライトとして機能する。
【００２５】
フィルム支持部８１は、例えば、液晶パネル５の背面に対向する位置で、液晶パネル５の表示領域と略等しい平面積を備えた部材である。そして、フィルム支持部８１は、液晶パネル５の背面が均等に照光されるように、ＬＥＤチップ８８を複数備えたフィルム基板８３をＹ軸方向（フィルム基板８３の幅方向）に沿って所定間隔で並べて配置可能に構成されており、上面が開口部８１ａで開口している。そして、フィルム支持部８１の内部底面８１ｂには、配置されるフィルム基板８３のＬＥＤチップ８８からの光が液晶パネル５の背面と直交する方向から所定角傾斜した向きへ出射されるように、フィルム基板８３を山形に折り曲げた状態で支持する折曲支持部８１ｃが上記フィルム基板８３を支持する位置毎に設けられている。
ここで、折曲支持部８１ｃは、山形に折り曲げられた状態のフィルム基板８３の裏面と当接し、当該フィルム基板８３を支持できるように上方（Ｚ軸方向）に向けて突起させた凸状部位である。
【００２６】
フィルム基板８３は、例えば、厚さがマイクロメートルオーダー程度の薄くて放熱性に優れ、かつ可撓性を備えたフィルム部材で構成される。そして、フィルム基板８３は、Ｘ軸方向（フィルム基板の長手方向）に等間隔で複数のＬＥＤチップ８８を配置したＬＥＤ列８３ａ，８３ｂ（光源列）を幅方向（Ｙ軸方向）に並べて備えており、ＬＥＤ列８３ａ，８３ｂ間の中心（図２（Ｂ）の波線）で折り曲げられて山形に形成される。そして、フィルム基板８３はフィルム支持部８１に載置される際に、山形形状の裏面側が折曲支持部８１ｃに当接して支持されることで、当該折り曲げられた状態を維持する。
したがって、上記のようにフィルム基板８３が山形に支持されることで、図２（Ａ）に示すように、各々のＬＥＤチップ８８からの光は液晶パネル５の背面と直交する方向から角αだけ傾斜した向きへ出射される。そのため、液晶パネル５の背面と直交する方向へ出射される場合（つまり、角α＝０°の場合）と比較して、傾斜した向きへ出射された光は、液晶パネル５の背面に到達する際に当該背面内でより広範に分散するので、効率的に液晶パネル５の背面を照光させることができる。
また、図３（Ａ）に示すように、フィルム基板８３のＹ軸方向両端には、貫通孔としてのスプロケットホール８３ｄがＸ軸方向に所定間隔で設けられている。そのため、例えば、フィルム支持部８１の内部底面８１ｂにスプロケットホール８３ｄ各々に嵌合する突起部（図示省略）を複数形成しておくことで、フィルム基板８３を容易にフィルム支持部８１に固定出来る。
なお、上記フィルム基板８３は、図４に示すような、ＬＥＤチップ８８が予め実装されたフィルム基板８３をＹ軸方向に複数備えた、チップオンフィルムとしてのフィルム群体８２を、切取線８２ａに沿って切取って取得される。つまり、バックライト装置８の製造時においては、供給されるフィルム群体８２より、液晶パネル５の表示領域のサイズに合わせて必要な個数のフィルム基板８３を切取ってフィルム支持部８１に配置する。
【００２７】
ＬＥＤ列８３ａ，８３ｂは、例えば、図３（Ａ）に示すように、ＬＥＤチップ８８を長手方向（Ｘ軸方向）に沿って等間隔に複数配置したフィルム基板８３の一部であり、駆動回路部８９とＬＥＤチップ８８とを結線し、ＬＥＤチップ８８を１又は複数個単位に分離するための切断部８４ａ，８４ｂが各々のＬＥＤチップ８８を取り囲むように設けられている。
ここで、ＬＥＤ列８３ａとＬＥＤ列８３ｂとは、各々の列内に配置されるＬＥＤチップ８８の長手方向位置（Ｘ軸方向位置）が、他方の列内に配置されるＬＥＤチップ８８の長手方向位置と相違するように、Ｘ軸方向に所定距離Δｘだけずれた状態で幅方向に並べられている。つまり、ＬＥＤ列８３ａに配置されるＬＥＤチップ８８とＬＥＤ列８３ｂに配置されるＬＥＤチップ８８とでは、フィルム支持部８１に配置した状態で、光を出射する位置がＸ軸方向にΔｘだけずれたものとなるため、Ｘ軸方向に一致させた場合（つまり、Δｘ＝０の場合）に比べて液晶パネル５を照光する領域をより広範にすることができる。
【００２８】
切断部８４ａ，８４ｂは、例えば、各ＬＥＤ列８３ａ，８３ｂ内に配置され、それぞれのＬＥＤチップ８８の周囲に設けられた配線部８５ａ，８５ｂ（図３（Ａ）の斜線部）を有し、ＬＥＤチップ８８単位で繰り返し設けられている。ここで、配線部８５ａ，８５ｂは、図３（Ｂ）に示すように各ＬＥＤ列８３ａ，８３ｂ内のＬＥＤチップ８８を直列に接続し、当該ＬＥＤチップ８８と駆動回路部８９とを結線することで各ＬＥＤチップ８８に光を出射させるための配線パターンを半田付けした部位である。つまり、切断部８４ａ，８４ｂは、上記半田を介して各ＬＥＤチップ８８と配線部８５ａ，８５ｂとが電気的に接続されるので、各々の切断部８４ａ，８４ｂの繰り返し位置端部に設けられた切断線８６ａ，８６ｂで切断することによって、ＬＥＤチップ８８を任意の個数に分離することができるとともに、当該分離された後の配線部８５ａ，８５ｂ各々の機能を維持することができる。つまり、分離後の各ＬＥＤ列８３ａ，８３ｂに配置されるＬＥＤチップ８８を直列接続した状態にして、駆動回路部８９と結線することで各ＬＥＤチップ８８に光を出射させることができる。
なお、切断部８４ａ，８４ｂ内で、配線部８５ａ，８５ｂに該当しない箇所（つまり、図３（Ａ）の斜線部以外の箇所）は配線パターンが設けられておらず、当該箇所を介してＬＥＤチップ８８から発せられる熱を外部へ放出するための経路が形成される。
【００２９】
駆動回路部８９は、例えば、図５に示すように、各ＬＥＤ列８３ａ，８３ｂ（１又は直列接続された複数個のＬＥＤチップ８８）それぞれに電圧を印加する電圧変換回路８９ａと、上記ＬＥＤ列８３ａ，８３ｂへ定電流（直流）を供給する直流電流源８９ｂと、を含んで構成される。そして、駆動回路部８９では、図３（Ａ）に示されるような切断線８６ａ，８６ｂにて切断されたＬＥＤ列８３ａ，８３ｂの、切断端部に位置するＬＥＤチップ８８のアノード側とカソード側が、アノード側端部８９ｄ及びカソード側端部８９ｅで結線される。そして、結線された駆動回路部８９において、入力電流Ｉｉｎを電圧変換回路８９ａにて変換して出力される電圧Ｖｏｕｔが、上記切断されたＬＥＤ列８３ａ，８３ｂに印加された場合に、各々のＬＥＤチップ８８に電位差Ｖｆが生じるとともに、電流Ｉｆ（ＬＥＤ電流）が流れるものとする。
この際、ＬＥＤチップ８８の輝度や色度は電流Ｉｆの電流値により左右されるので、電位差Ｖｆの温度依存性（つまり、温度が低いほど電位差が大きくなるというＬＥＤの特性）を考慮して、Ｖｏｕｔ≧Ｖｆ×Ｎ（Ｎ：切断されたＬＥＤ列８３ａやＬＥＤ列８３ｂに含まれるＬＥＤチップ８８の個数）を満たすように電圧Ｖｏｕｔの電圧値が電圧変換回路８９ａ及び制御部１２にて調整／制御され、電流Ｉｆ（各ＬＥＤチップ８８の輝度や色度）が一定に保たれる。
【００３０】
制御部１２は、例えば、ＣＰＵ１２１（Ｃｅｎｔｒａｌ  Ｐｒｏｃｅｓｓｉｎｇ  Ｕｎｉｔ）、ＣＰＵ１２１のワークエリアとして用いられるＲＡＭ（Ｒａｎｄｏｍ  Ａｃｃｅｓｓ  Ｍｅｍｏｒｙ）１２２、ＣＰＵ１２１によって実行される各種プログラムを格納する記憶部１２５等を備えて構成される。
【００３１】
ＣＰＵ１２１は、例えば、液晶表示装置１００の各部から入力される入力信号に応じて、記憶部１２５に格納された各種プログラムを実行するとともに、実行にかかるプログラムに基づいて各部に出力信号を出力することにより、液晶表示装置１００の動作全般を統括制御する。上記ＣＰＵ１２１の行う制御内容として、例えば、駆動回路部８９へ入力電流Ｉｉｎに関する電流信号を出力し、各ＬＥＤチップ８８に流れる電流Ｉｆが一定値となるように調整することでなされる、バックライト装置８の輝度や色度の調整制御等がある。
【００３２】
ＲＡＭ１２２は、例えば、ＣＰＵ１２１により実行される処理プログラム等を展開するためのプログラム格納領域や、入力データや処理プログラムが実行される際に生じる処理結果等を格納するデータ格納領域などを備える。
【００３３】
記憶部１２５は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）等の不揮発性メモリで構成され、プログラム格納エリア内にＣＰＵ１２１の制御処理の実行に際して必要となる各種プログラム等を備えている。
【００３４】
次に、液晶表示装置１００による、バックライト装置８の液晶パネル５への照光動作について説明する。
まず、ＣＰＵ１２１より入力電流Ｉｉｎに関する電流信号が駆動回路部８９に入力されると、電圧変換回路８９ａにて電圧Ｖｏｕｔに変換されて、フィルム基板８３（切断線８６ａ，８６ｂにて切断されたＬＥＤ列８３ａ，８３ｂ）内の各ＬＥＤチップ８８に一定の電流Ｉｆ（ＬＥＤ電流）が流れる。そして、電流Ｉｆが流れる各ＬＥＤチップ８８は、フィルム支持部８１の折曲支持部８１ｃに支持された状態で、液晶パネル５の背面と直交する方向から角αだけ傾斜した向きへ光を出射し、液晶パネル５の背面を均等に照光する。そして、上記照光時に各ＬＥＤチップ８８から発生する熱は、切断部８４ａ，８４ｂ内で配線部８５ａ，８５ｂに該当しない箇所を伝播して外部へ放出される。
【００３５】
以上説明した本実施形態における液晶表示装置１００によれば、液晶パネル５の背面側をＬＥＤチップ８８より出射される光で照光するバックライト装置８において、ＬＥＤチップ８８を長手方向に沿って複数配置したＬＥＤ列８３ａ，８３ｂを幅方向に複数備える可撓性のフィルム基板８３と、液晶パネル５の背面と対向する位置で、液晶パネル５の表示領域と略等しい平面積を備え、フィルム基板８３を幅方向に沿って所定間隔で並べて配置可能なフィルム支持部８１と、を備え、フィルム支持部８１は、配置されるフィルム基板８３のＬＥＤチップ８８からの光が液晶パネル５の背面と直交する方向から角α傾斜した向きへ出射されるように、各々のフィルム基板８３のＬＥＤ列８３ａ，８３ｂ間を折曲させた状態でフィルム基板８３を支持する折曲支持部８１ｃを有する。
【００３６】
つまり、本発明によると、フィルム基板８３にＬＥＤチップ８８を複数配置したＬＥＤ列８３ａ，８３ｂが幅方向に複数備えられ、当該フィルム基板８３がフィルム支持部８１に所定間隔で並べて配置される。よって、液晶パネル５の表示領域に応じて一度に複数のＬＥＤ列８３ａ，８３ｂを配置することができるので実装の手間が軽減される。さらに、各々のフィルム基板８３は折曲支持部８１ｃによりＬＥＤ列８３ａ，８３ｂ間が折曲された状態で支持され、フィルム基板８３に配置される各々のＬＥＤチップ８８からの光は、液晶パネル５の背面と直交する方向から角α傾斜した向きへ出射される。つまり、液晶パネル５の背面と直交する方向へ出射される場合と比較して、傾斜した向きへ出射された光は、液晶パネル５の背面に到達する際に当該背面内でより広範に分散させることができる。
したがって、本発明は、実装がより容易で、かつ効率的に液晶パネルを照光できるバックライト装置及び液晶表示装置であるといえる。
また、フィルム基板８３は薄くて放熱性に優れているため、本バックライト装置８は、従来の平板状の基板を用いたバックライト装置に比べてＬＥＤチップ８８から生ずる熱を外部へと好適に放熱させることができる。
【００３７】
また、フィルム基板８３において、ＬＥＤ列８３ａ，８３ｂにおけるＬＥＤチップ８８を等間隔に配置し、ＬＥＤ列８３ａ，８３ｂのうち、各々の列内に配置されるＬＥＤチップ８８の長手方向位置が、他方の列内に配置されるＬＥＤチップ８８のＸ軸方向にΔｘだけずれるように、ＬＥＤ列８３ａ，８３ｂはフィルム基板８３に配置されている。  
つまり、ＬＥＤ列８３ａに配置されるＬＥＤチップ８８とＬＥＤ列８３ｂに配置されるＬＥＤチップ８８とでは、フィルム支持部８１に配置した状態で、光を出射する位置がＸ軸方向にΔｘだけずれたものとなるため、Ｘ軸方向に一致させた場合（つまり、Δｘ＝０の場合）に比べて液晶パネル５の背面内でＬＥＤチップ８８の光をより広範に分散させ、より効率的に液晶パネル５を照光できる。
【００３８】
また、バックライト装置８において、ＬＥＤチップ８８を任意の個数ごとに独立して駆動させる駆動回路部８９を備え、フィルム基板８３は、ＬＥＤ列８３ａ，８３ｂ内のそれぞれのＬＥＤチップ８８を取り囲むように、駆動回路部８９とＬＥＤチップ８８とを結線する配線部８５ａ，８５ｂを有し、ＬＥＤチップ８８を任意の個数で分離するための切断部８４ａ，８４ｂを設け、切断部８４ａ，８４ｂで切断されると、配線部８５ａ，８５ｂが機能を維持した状態で分断される。
つまり、切断部８４ａ，８４ｂで切断することによって、ＬＥＤチップ８８を任意の個数で分離することができるとともに、分離後の各ＬＥＤ列８３ａ，８３ｂに配置されるＬＥＤチップ８８を直列接続した状態にして、駆動回路部８９と結線することで各ＬＥＤチップ８８に光を出射させることができる。
【００３９】
なお、本発明の範囲は上記実施形態に限られることなく、本発明の趣旨を逸脱しない範囲において種々の改良並びに設計の変更を行っても良い。
例えば、上記実施形態においては、図２に示すように、ＬＥＤ列８３ａ，８３ｂのうち、各々の列内に等間隔で配置されるＬＥＤチップ８８の長手方向位置が、他方の列内に配置されるＬＥＤチップ８８のＸ軸方向にΔｘだけずれるように、ＬＥＤ列８３ａ，８３ｂをフィルム基板８３に配置しているが、図６に示すように双方の長手方向位置が一致するように配置したものであってもよい。この場合、上記Δｘだけずれるように配置した場合に比べてＬＥＤチップ８８から出射される光の分散が期待できない。そのため、例えば、折曲支持部８１ｃの頂角を一層鋭角にして、各々のＬＥＤチップ８８から出射される光が、液晶パネル５の背面と直交する方向から角αより大きな角βだけ傾斜した向きへ出射されるようにすればよい。又は、図６における、各々のＬＥＤ列８３ａ，８３ｂ内のＬＥＤチップ８８間の間隔（等間隔）を、ばらつきを持たせたものに変更してもよい。
また、上記実施形態では、フィルム基板８３に配置されるＬＥＤ列が２列（ＬＥＤ８３ａ，８３ｂ）の場合を例示しているが、３列以上配置したものであっても勿論よい。
【符号の説明】
【００４０】
１００                          液晶表示装置
５                              液晶パネル
８                              バックライト装置
８１                            フィルム支持部（フィルム配置部）
８１ｃ                          折曲支持部
８３                            フィルム基板
８３ａ，８３ｂ                  ＬＥＤ列（光源列）
８４ａ，８４ｂ                  切断部
８５ａ，８５ｂ                  配線部
８８                            ＬＥＤチップ（バックライト光源）
８９                            駆動回路部
【図１】
0005397112.tif 000002
【図２】
0005397112.tif 000003
【図３】
0005397112.tif 000004
【図４】
0005397112.tif 000005
【図５】
0005397112.tif 000006
【図６】
0005397112.tif 000007